Podtech/llm-jp-corpus-v4-ja_patent huggingface dataset:
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技媒体が流下可能な遊技領域を有する遊技盤と、
前記遊技盤を覆うように取り付けられる遊技枠と、
遊技中に遊技者が触ることが可能な位置に設けられ、動作可能な第１可動物と、
遊技中に遊技者が触ることが不可能な位置に設けられ、動作可能な第２可動物と、
第１条件が成立したことにもとづいて前記第１可動物の位置の監視を実行し、前記第１条件と少なくとも一部が異なる第２条件が成立したことにもとづいて前記第２可動物の位置の監視を実行する監視手段とを備え、
前記第１可動物は、前記遊技枠に設けられている
ことを特徴とする遊技機。
【請求項２】
前記第１可動物は、外力が加えられた場合の破損を防止する破損防止手段を備えた
請求項１記載の遊技機。
【手続補正２】
【補正対象書類名】明細書
【補正対象項目名】００１０
【補正方法】変更
【補正の内容】
【００１０】
（手段１）本発明による遊技機は、遊技を行うことが可能な遊技機であって、遊技媒体が流下可能な遊技領域を有する遊技盤（例えば、遊技盤６）と、遊技盤を覆うように取り付けられる遊技枠（例えば、遊技枠２００）と、遊技中に遊技者が触ることが可能な位置に設けられ、動作可能な第１可動物（例えば、第１可動物２９）と、遊技中に遊技者が触ることが不可能な位置に設けられ、動作可能な第２可動物と（例えば、第２可動物１９）、第１条件が成立したことにもとづいて第１可動物の位置の監視を実行し（例えば、演出制御用ＣＰＵ１０１におけるステップＳ９００１、Ｓ９００３、Ｓ９００５、Ｓ９００６、Ｓ９００７の判定にもとづいてステップＳ９０１０、ステップＳ９０１１を実行する部分）、第１条件と少なくとも一部が異なる第２条件が成立したことにもとづいて第２可動物の位置の監視を実行する（例えば、演出制御用ＣＰＵ１０１におけるステップＳ９１０１、Ｓ９１０２の判定にもとづいてステップＳ９１０３、ステップＳ９１０４を実行する部分）監視手段とを備え、第１可動物は、遊技枠に設けられていることを特徴とする。そのような構成によれば、可動物に不具合が生じる可能性を低減することができる。また、遊技枠の装飾効果を向上することができる。
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技中に遊技者が触ることが可能な位置に設けられ、動作可能な第１可動物と、
遊技中に遊技者が触ることが不可能な位置に設けられ、動作可能な第２可動物と、
第１条件が成立したことにもとづいて前記第１可動物の位置の監視を実行し、前記第１条件と少なくとも一部が異なる第２条件が成立したことにもとづいて前記第２可動物の位置の監視を実行する監視手段と、
前記監視手段により前記第１可動物および前記第２可動物のうちの少なくとも一方の位置の異常が検出されたことにもとづいて所定の処理を実行する実行手段とを備え、
前記監視手段は、前記第２可動物より長い実行間隔により前記第１可動物の監視を実行する
ことを特徴とする遊技機。
【請求項２】
前記第１可動物は、外力が加えられた場合の破損を防止する破損防止手段を備えた
請求項１記載の遊技機。
【手続補正２】
【補正対象書類名】明細書
【補正対象項目名】００１０
【補正方法】変更
【補正の内容】
【００１０】
（手段１）本発明による遊技機は、遊技を行うことが可能な遊技機であって、遊技中に遊技者が触ることが可能な位置に設けられ、動作可能な第１可動物（例えば、第１可動物２９）と、遊技中に遊技者が触ることが不可能な位置に設けられ、動作可能な第２可動物と（例えば、第２可動物１９）、第１条件が成立したことにもとづいて第１可動物の位置の監視を実行し（例えば、演出制御用ＣＰＵ１０１におけるステップＳ９００１、Ｓ９００３、Ｓ９００５、Ｓ９００６、Ｓ９００７の判定にもとづいてステップＳ９０１０、ステップＳ９０１１を実行する部分）、第１条件と少なくとも一部が異なる第２条件が成立したことにもとづいて第２可動物の位置の監視を実行する（例えば、演出制御用ＣＰＵ１０１におけるステップＳ９１０１、Ｓ９１０２の判定にもとづいてステップＳ９１０３、ステップＳ９１０４を実行する部分）監視手段と、監視手段により第１可動物および第２可動物のうちの少なくとも一方の位置の異常が検出されたことにもとづいて所定の処理を実行する実行手段（例えば、演出制御用ＣＰＵ１０１におけるステップＳ９００１〜ステップＳ９０１５、ステップＳ９１０１〜ステップＳ９１０９を実行する部分）とを備え、監視手段は、第２可動物より長い実行間隔により第１可動物の監視を実行する（例えば、第１可動物が１分、第２可動物が３０秒）ことを特徴とする。そのような構成によれば、可動物に不具合が生じる可能性を低減することができる。また、短期的な異常を無視して、無駄な処理を繰り返してしまうことを防止することができる。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
（手段３）手段１または手段２において、第１可動物は、外力が加えられた場合の破損を防止する破損防止手段（例えば、第１可動物用モータが脱調すること）を備えたように構成されていてもよい。そのような構成によれば、可動物の破損を防止することができる。
【手続補正５】
【補正対象書類名】明細書
【補正対象項目名】００１４
【補正方法】変更
【補正の内容】
【００１４】
（手段４）手段１から手段３のうちのいずれかにおいて、遊技者にとって有利な有利状態に制御可能な遊技機であって、可変表示中に、第１可動物を動作させる第１演出を実行する第１演出実行手段と、有利状態に制御されることにもとづいて、第２可動物を動作させる第２演出を実行する第２演出実行手段とを備え、第２演出実行手段は、第１演出実行手段により第１演出が実行されたか否かに応じて、第２演出を異なるタイミング（例えば、プッシュボタン１２０の操作検出のタイミングとファンファーレ演出開始のタイミング）で実行可能であるように構成されていてもよい。そのような構成によれば、可動物を可動させる複数の演出に関連性を持たせ、興趣を向上させることができる。
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
所定の遊技を行う遊技機であって、
遊技領域を流下する遊技球を受け入れて転動させることが可能な転動面と、
前記転動面を転動する遊技球の転動方向を規制する規制部とを備え、
前記規制部は、前記転動面の上方に位置し、かつ、前記遊技機の正面から奥行方向にかけて下向きに傾斜した傾斜面を含む庇部を有し、
前記傾斜面は、前記庇部の一部である、遊技機。
【手続補正２】
【補正対象書類名】明細書
【補正対象項目名】０００６
【補正方法】変更
【補正の内容】
【０００６】
（１）  所定の遊技を行う遊技機（たとえば、パチンコ機１、スロットマシン）であって、
遊技領域（たとえば、遊技領域２７）を流下する遊技球を受け入れて転動させることが可能な転動面（たとえば、ステージ５０）と、
前記転動面を転動する遊技球の転動方向を規制する規制部（たとえば、区画部５５）とを備え、
前記規制部は、前記転動面の上方に位置し、かつ、前記遊技機の正面から奥行方向にかけて下向きに傾斜した傾斜面（たとえば、傾斜面５５ｂ）を含む庇部（たとえば、庇部５５ａ）を有し（たとえば、図７（ａ），（ｃ）参照）、
前記傾斜面は、前記庇部の一部である（たとえば、図７（ａ）参照）。
【手続補正３】
【補正対象書類名】明細書
【補正対象項目名】０００７
【補正方法】変更
【補正の内容】
【０００７】
このような構成によれば、遊技者の視認を妨げることなく、転動面を転動する遊技球の転動方向を規制することができる。また、庇部を設けたとしても転動面で遊技球が転動する空間を確保することができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
（２）  上記（１）の遊技機において、
前記転動面および前記規制部の奥側に、所定画像を表示する画面（たとえば、液晶画面９０）を有する画像表示手段（たとえば、液晶表示器９５）をさらに備え、
前記転動面を転動する遊技球は、前記遊技機の正面から視て前記画面の一部と重なる（たとえば、図８（ａ）参照）。
【手続補正７】
【補正対象書類名】明細書
【補正対象項目名】００１２
【補正方法】変更
【補正の内容】
【００１２】
（３）  上記（１）または（２）の遊技機において、
前記規制部は、透明部材から成る。
【手続補正８】
【補正対象書類名】明細書
【補正対象項目名】００１４
【補正方法】変更
【補正の内容】
【００１４】
（４）  上記（１）〜（３）のいずれかの遊技機において、
前記遊技機は、変動表示の表示結果が特定表示結果（たとえば、大当り結果）となったときに遊技者にとって有利な有利状態（たとえば、大当り状態）に制御可能であって、
前記転動面および前記規制部の奥側に、変動表示の実行条件が成立したが未だ開始されていない変動表示に対応する保留表示（たとえば、保留表示９９）を表示する画面（たとえば、液晶画面９０）を有する画像表示手段（たとえば、液晶表示器９５）をさらに備え、
前記規制部は、前記遊技機の正面から視て前記保留表示と重ならない（たとえば、図８（ａ）参照）。
【手続補正９】
【補正対象書類名】明細書
【補正対象項目名】００１６
【補正方法】変更
【補正の内容】
【００１６】
（５）  上記（１）〜（４）のいずれかの遊技機において、
前記転動面は、前記規制部とは別部材である（たとえば、図７（ａ）参照）。
【手続補正１０】
【補正対象書類名】明細書
【補正対象項目名】００１８
【補正方法】変更
【補正の内容】
【００１８】
（６）  上記（１）〜（５）のいずれかの遊技機において、
導光板（たとえば、導光板８０）と、
前記導光板の側面から光を入射させる発光手段（たとえば、ＬＥＤ）と、
前記発光手段を制御する発光制御手段（たとえば、ＣＰＵ、ＶＤＰ、ＬＥＤドライバ）とをさらに備え、
前記導光板は、
前記発光手段によって入射された光を散乱させることにより所定情報（たとえば、キャラクタ像）を表示させる散乱部（たとえば、パターン７７）と、
前記所定情報とは異なる特定情報（たとえば、「ＴｙｐｅＡ」といった役物装置６５の名称を説明する文字）が印刷された印刷部（たとえば、シルク印刷７５）とを含む。
【手続補正１１】
【補正対象書類名】明細書
【補正対象項目名】００２０
【補正方法】変更
【補正の内容】
【００２０】
（７）  上記（６）の遊技機において、
前記散乱部および前記印刷部は、前記遊技機の正面から視て互いに異なる位置に配置されている（たとえば、図１０参照）。
【手続補正１２】
【補正対象書類名】明細書
【補正対象項目名】００２２
【補正方法】変更
【補正の内容】
【００２２】
（８）  上記（６）または（７）の遊技機において、
前記散乱部および前記印刷部は、前記導光板において互いに異なる面に配置されている（たとえば、図９参照）。
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
遊技を行う遊技機であって、
第１演出と第２演出とを同一の表示領域で並行して実行することが可能な演出実行手段と、
前記第１演出の進行態様を変化させることが可能な進行態様変化手段と、を備え、
前記演出実行手段は、前記第１演出の進行態様が変化しているときに前記第２演出を実行するときには、進行態様を変化させることなく前記第２演出を実行可能であり、
前記第１演出は、少なくとも第１−１演出と前記第１−１演出よりも視認性の高い第１−２演出とが並行して実行される演出であり、
前記進行態様変化手段は、少なくとも前記第１−２演出の進行態様を変化させることが可能である、
ことを特徴とする遊技機。
【請求項２】
前記遊技機は、可変表示を実行し、
未だ開始されていない可変表示を保留記憶として記憶する保留記憶手段と、
前記保留記憶に対応する保留表示を表示する保留表示手段と、
をさらに備える請求項１に記載の遊技機。
【手続補正２】
【補正対象書類名】明細書
【補正対象項目名】０００６
【補正方法】変更
【補正の内容】
【０００６】
（１）本発明に係る遊技機は、
遊技を行う遊技機であって、
第１演出（例えば、飾り図柄の可変表示や可変表示中演出など）と第２演出（例えば、保留変化演出など）とを同一の表示領域（例えば、画像表示装置５の表示領域の中央領域など）で並行して実行することが可能な演出実行手段（例えば、ステップＳ１７２の処理を実行する演出制御用ＣＰＵ１２０など）と、
前記第１演出の進行態様を変化させることが可能な進行態様変化手段（例えば、ステップＳ５５５の処理を実行する演出制御用ＣＰＵ１２０など）と、を備え、
前記演出実行手段は、前記第１演出の進行態様が変化しているときに前記第２演出を実行するときには、進行態様を変化させることなく前記第２演出を実行可能であり（例えば、飾り図柄の可変表示の一時停止があってもステップＳ５５９の処理を実行して保留変化演出を一時停止しない演出制御用ＣＰＵ１２０など）、
前記第１演出は、少なくとも第１−１演出（例えば、背景を表示する演出など）と前記第１−１演出よりも視認性の高い第１−２演出（例えば、飾り図柄の可変表示など）とが並行して実行される演出（例えば、可変表示中演出など）であり、
前記進行態様変化手段は、少なくとも前記第１−２演出の進行態様を変化させることが可能である（例えば、背景を一時停止せずに、飾り図柄の可変表示を一時停止させる演出制御用ＣＰＵ１２０など）、 
ことを特徴とする。
【手続補正３】
【補正対象書類名】明細書
【補正対象項目名】０００７
【補正方法】変更
【補正の内容】
【０００７】
この構成によれば、演出の進行態様についての制御負担を少なくすることができる。また、進行態様の変化を遊技者が認識しやすくできる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
（４）上記（１）〜（３）のいずれかの遊技機において、
前記第２演出は、演出の結果として前記遊技機が遊技者にとって有利な有利状態に制御される可能性を示唆する演出である（例えば、保留変化演出など）、
ようにしてもよい。
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
所定の遊技を行なう遊技機であって、
第１操作手段と、
第２操作手段と、
前記第１操作手段が操作された場合に、前記第２操作手段の操作が可能な状態に制御する操作制御手段と、
前記第１操作手段が操作された場合に、前記第２操作手段の操作が可能な状態となるか否かを特定可能な特定演出を実行する特定演出実行手段とを備え、
前記特定演出において、前記第１操作手段が特定回数操作された場合に前記第２操作手段の操作が可能な状態となることを報知する、遊技機。
【手続補正２】
【補正対象書類名】明細書
【補正対象項目名】０００６
【補正方法】変更
【補正の内容】
【０００６】
（１）  所定の遊技を行なう遊技機（パチンコ遊技機１等）であって、
第１操作手段（第１プッシュボタン１２０等）と、
第２操作手段（第２プッシュボタン１３０等）と、
前記第１操作手段が操作された場合に、前記第２操作手段の操作が可能な状態に制御する操作制御手段（演出制御用マイクロコンピュータ１００、図２３のＳ９３１〜Ｓ９３３に示すように第１プッシュボタン１２０が１５回操作された場合に、第２プッシュボタン１３０の操作が可能な状態となることを示す第２プッシュボタン有効フラグがセットされる等）と、
前記第１操作手段が操作された場合に、前記第２操作手段の操作が可能な状態となるか否かを特定可能な特定演出（第２プッシュボタン１３０を段階的に上昇させるとともに、その段階に対応した色で第２プッシュボタンＬＥＤ１２９を発光させる演出等）を実行する特定演出実行手段（演出制御用マイクロコンピュータ１００、図２３のＳ９２８，Ｓ９３０，Ｓ９３３等）とを備え、
前記特定演出において、前記第１操作手段が特定回数操作された場合に前記第２操作手段の操作が可能な状態となることを報知する（図２３のＳ９３１〜Ｓ９３３に示すように、第１プッシュボタン１２０の操作回数が１５回となったときに、第２プッシュボタン１３０の操作が可能となることを第２プッシュボタン１３０の位置と第２プッシュボタンＬＥＤ１２９の発光色とで報知する等）。
【手続補正３】
【補正対象書類名】明細書
【補正対象項目名】０００７
【補正方法】変更
【補正の内容】
【０００７】
このような構成によれば、特定演出により第２操作手段の操作が可能であるか否かが特定されるので、遊技者の第１操作手段の操作意欲を向上させ、操作手段を用いた遊技の興趣を向上することができる。また、第１操作手段に対する遊技者の操作意欲を向上させることができる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
（４）  前記（１）から（３）のいずれかの遊技機において、
前記操作制御手段は、前記第１操作手段が操作された場合に、前記第２操作手段を遊技者に視認不能な収納位置から遊技者に視認可能な突出位置へと変位させる（図２、図２３のＳ９３１，Ｓ９３２に示すように、第１プッシュボタン１２０が操作された場合に第２プッシュボタン１３０を遊技者が視認不能な収納位置から遊技者が視認可能な突出位置へと変位させる等）。
【手続補正７】
【補正対象書類名】明細書
【補正対象項目名】００１６
【補正方法】変更
【補正の内容】
【００１６】
（５）  前記（１）から（４）のいずれかの遊技機において、
前記第２操作手段が操作された場合に、遊技者に有利な状態となることを示唆する有利演出が実行され（図２３のＳ９３４，Ｓ９３５に示すように、第２プッシュボタン１３０が操作された場合に有利演出が実行される等）、
前記特定演出は、前記有利演出の期待度を報知する演出である（図２３のＳ９２８，Ｓ９３０，Ｓ９３３に示すように、第２プッシュボタンＬＥＤ１２９を青色、黄色、赤色に発光させることで、有利演出の期待度を報知する等）。
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
各々が光電変換素子を有し、複数の行及び複数の列をなすように配列された、複数の画素を含む画素アレイと、
前記複数の画素から信号を列ごとに読み出す第１の読み出し回路と、
温度に応じた信号を出力する温度センサと、
前記温度センサに供給される電流を制御する電流制御回路と
を有し、
前記電流制御回路は、第１の期間において、前記温度センサに所定の電流が供給されるよう制御し、第２の期間において、前記温度センサに供給される電流を前記所定の電流よりも小さくし、又は停止するよう制御し、
前記第１の期間は、前記第１の読み出し回路が前記複数の画素から出力される１フレームの信号を読み出す処理と次の１フレームの信号を読み出す処理との間の第１のブランキング期間に設定されている
ことを特徴とする固体撮像装置。
【請求項２】
前記複数の画素の各々は、前記光電変換素子で光電変換により生じた電荷を転送する転送部と、前記電荷が転送される入力ノードを備え、前記入力ノードの電位に応じた信号を出力する信号出力部とを更に有し、
前記第１の期間は、１フレームの信号の読み出しにおいて、第１の行の前記信号出力部が信号を出力する処理と前記第１の行とは別の第２の行の前記信号出力部が信号を出力する処理との間の第２のブランキング期間に設定されている
ことを特徴とする請求項１に記載の固体撮像装置。
【請求項３】
前記温度センサから信号を読み出す第２の読み出し回路を更に有し、
前記第２の読み出し回路は、前記第１の期間に読み出しを行う
ことを特徴とする請求項１又は２に記載の固体撮像装置。
【請求項４】
前記温度センサから信号を読み出す第２の読み出し回路を更に有し、
前記第２の読み出し回路が１つの信号を読み出す期間の長さは、前記第１の読み出し回路が１つの信号を読み出す期間の長さよりも短い
ことを特徴とする請求項１に記載の固体撮像装置。
【請求項５】
前記温度センサにバイアス電圧を供給する電圧供給回路を更に有し、
前記電圧供給回路に含まれる増幅器には、前記第１の期間及び前記第２の期間のいずれにおいても電流が供給されている
ことを特徴とする請求項１乃至４のいずれか１項に記載の固体撮像装置。
【請求項６】
前記電圧供給回路は、抵抗素子により構成された分圧回路を含む
ことを特徴とする請求項５に記載の固体撮像装置。
【請求項７】
前記温度センサから出力される信号を増幅する出力増幅回路を更に有し、
前記出力増幅回路に含まれる増幅器には、前記第１の期間及び前記第２の期間のいずれにおいても電流が供給されている
ことを特徴とする請求項１乃至４のいずれか１項に記載の固体撮像装置。
【請求項８】
前記画素アレイと前記温度センサの間に配され、前記画素を含まない回路要素を更に有する
ことを特徴とする請求項１乃至７のいずれか１項に記載の固体撮像装置。
【請求項９】
前記複数の画素は、前記光電変換素子に光が入射する撮像画素と、前記光電変換素子が遮光された遮光画素とを含み、
前記撮像画素は、前記遮光画素と前記温度センサとの間に配される
ことを特徴とする請求項１乃至８のいずれか１項に記載の固体撮像装置。
【請求項１０】
前記温度センサは、ダイオードを含むことを特徴とする請求項１乃至９のいずれか１項に記載の固体撮像装置。
【請求項１１】
前記温度センサは、バイポーラトランジスタを含むことを特徴とする請求項１乃至１０のいずれか１項に記載の固体撮像装置。
【請求項１２】
前記第１の読み出し回路は、前記第２の期間に前記複数の画素から信号を読み出す
ことを特徴とする請求項１乃至１１のいずれか１項に記載の固体撮像装置。
【請求項１３】
前記温度センサに電流を供給する電流源を更に有する
ことを特徴とする請求項１乃至１２のいずれか１項に記載の固体撮像装置。
【請求項１４】
前記温度センサと前記電流源の間に接続されたスイッチを更に有し、
前記電流制御回路は、前記スイッチを切り替えることにより、前記第１の期間において前記温度センサに電流を供給し、前記第２の期間において前記温度センサへの電流の供給を停止する
ことを特徴とする請求項１３に記載の固体撮像装置。
【請求項１５】
前記電流源が供給する電流は可変である
ことを特徴とする請求項１３に記載の固体撮像装置。
【請求項１６】
前記電流制御回路は、前記電流源が供給する電流を変化させることにより、前記第１の期間において前記温度センサに供給される電流と、前記第２の期間において前記温度センサに供給される電流とを異ならせる
ことを特徴とする請求項１５に記載の固体撮像装置。
【請求項１７】
前記電流源が供給する電流を変化させることにより、前記温度センサは、複数の電流値に基づく複数の信号を出力する
ことを特徴とする請求項１５に記載の固体撮像装置。
【請求項１８】
各々が光電変換素子を有し、複数の行及び複数の列をなすように配列された、複数の画素を含む画素アレイと、
前記複数の画素から信号を列ごとに読み出す第１の読み出し回路と、
温度に応じた信号を出力する温度センサと、
前記温度センサに電流を供給する電流源と、
前記温度センサと前記電流源の間に接続されたスイッチと、
前記スイッチを制御する制御部と
を有することを特徴とする固体撮像装置。
【請求項１９】
請求項１乃至１８のいずれか１項に記載の固体撮像装置と、
前記固体撮像装置から出力される信号を処理する信号処理部と
を有することを特徴とする撮像システム。
【請求項２０】
移動体であって、
請求項１乃至１８のいずれか１項に記載の固体撮像装置と、
前記固体撮像装置からの信号に基づく視差画像から、対象物までの距離情報を取得する距離情報取得手段と、
前記距離情報に基づいて前記移動体を制御する移動体制御手段と
を有することを特徴とする移動体。
【手続補正２】
【補正対象書類名】明細書
【補正対象項目名】０００６
【補正方法】変更
【補正の内容】
【０００６】
本発明の一実施形態によれば、各々が光電変換素子を有し、複数の行及び複数の列をなすように配列された、複数の画素を含む画素アレイと、前記複数の画素から信号を列ごとに読み出す第１の読み出し回路と、温度に応じた信号を出力する温度センサと、前記温度センサに供給される電流を制御する電流制御回路とを有し、前記電流制御回路は、第１の期間において、前記温度センサに所定の電流が供給されるよう制御し、第２の期間において、前記温度センサに供給される電流を前記所定の電流よりも小さくし、又は停止するよう制御し、前記第１の期間は、前記第１の読み出し回路が前記複数の画素から出力される１フレームの信号を読み出す処理と次の１フレームの信号を読み出す処理との間の第１のブランキング期間に設定されていることを特徴とする固体撮像装置が提供される。
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
基板を処理する処理室と、
前記処理室内へガスを供給するガス供給部と、
高周波電源に接続される電極を有し、前記処理室内に供給された前記ガスをプラズマ化させることにより活性化させるプラズマ生成部と、
前記プラズマ生成部のインピーダンスを測定するインピーダンス測定器と、
前記インピーダンス測定器により測定されたインピーダンスの値に応じてプラズマの活性種生成量を判断する判断部と、
前記判断部により判断された前記活性種生成量に応じて前記高周波電源を制御する制御部と、
を有する基板処理装置。
【請求項２】
前記制御部は、前記インピーダンスの値と予め記憶された設定値とを比較して、前記プラズマ生成部が所定のインピーダンスを維持するように前記高周波電源の電力値または周波数値を制御する請求項１に記載の基板処理装置。
【請求項３】
前記制御部は、前記インピーダンスの値に応じて、前記高周波電源の電力値または周波数値を制御して、前記プラズマ生成部から生成される前記プラズマの活性種生成量を制御する請求項１に記載の基板処理装置。
【請求項４】
前記インピーダンスの値は、リアクタンス値を含み、
前記制御部は、前記リアクタンス値と予め記憶された設定値とを比較して、前記リアクタンス値が、前記設定値の所定範囲内にある場合に、前記活性種生成量が適正であると判断する請求項１に記載の基板処理装置。
【請求項５】
基板を処理室内に搬入する工程と、
前記処理室内にガスを供給する工程と、
高周波電源に接続される電極を有するプラズマ生成部のインピーダンスを測定する工程と、
測定されたインピーダンスの値に応じてプラズマの活性種生成量を判断する工程と、
判断された前記活性種生成量に応じて前記高周波電源を制御して、前記処理室内に供給された前記ガスをプラズマ化して活性化させる工程と、
プラズマ化して活性化させた前記ガスを前記基板に対して供給する工程と、
を有する半導体装置の製造方法。
【請求項６】
前記活性化させる工程では、前記インピーダンスの値と予め記憶された設定値とを比較して、前記プラズマ生成部が所定のインピーダンスを維持するように前記高周波電源の電力値または周波数値を制御する請求項５に記載の半導体装置の製造方法。
【請求項７】
前記活性化させる工程では、前記インピーダンスの値に応じて、前記高周波電源の電力値または周波数値を制御して、前記プラズマ生成部から発生される前記プラズマの活性種生成量を制御する請求項５に記載の半導体装置の製造方法。
【請求項８】
基板を基板処理装置の処理室内に搬入するステップと、
前記処理室内にガスを供給するステップと、
高周波電源に接続される電極を有するプラズマ生成部のインピーダンスを測定するステップと、
測定されたインピーダンスの値に応じてプラズマの活性種生成量を判断するステップと、
判断された前記活性種生成量に応じて前記高周波電源を制御して、前記処理室内に供給された前記ガスをプラズマ化して活性化させるステップと、
プラズマ化して活性化させた前記ガスを前記基板に対して供給するステップと、
をコンピュータにより前記基板処理装置に実行させるプログラム。
【請求項９】
前記活性化させるステップでは、前記インピーダンスの値と予め記憶された設定値とを比較して、前記プラズマ生成部が所定のインピーダンスを維持するように前記高周波電源の電力値または周波数値を制御する請求項８に記載のプログラム。
【請求項１０】
前記活性化させるステップでは、前記インピーダンスの値に応じて、前記高周波電源の電力値または周波数値を制御して、前記プラズマ生成部から発生される前記プラズマの活性種生成量を制御する請求項８に記載のプログラム。
【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
入力画像を複数の部分領域に分割する分割手段と、
前記入力画像に所定領域を設定する設定手段と、
前記設定した所定領域に含まれる前記部分領域の特徴量と前記入力画像の複数の画素位置それぞれの特徴量との関係、および前記複数の画素位置それぞれの特徴量と当該複数の画素位置それぞれの周囲の特徴量との関係に基づいて、注目領域を検出する検出手段と、
を有することを特徴とする注目領域検出装置。
【請求項２】
前記設定した所定領域に含まれる前記部分領域の特徴量と前記入力画像の複数の画素位置それぞれの特徴量との関係に基づいて、前景の可能性を示す前景度を算出する前景度算出手段と、
前記複数の画素位置それぞれの特徴量と当該複数の画素位置それぞれの周囲の特徴量との関係に基づいて、前記複数の画素位置それぞれの顕著の程度を示す顕著度を算出する顕著度算出手段と、
を更に有し、
前記検出手段は、前記前景度と前記顕著度とに基づいて前記注目領域を検出することを特徴とする請求項１に記載の注目領域検出装置。
【請求項３】
前記所定領域は、前記入力画像の端部に設定される少なくとも１つの領域であることを特徴とする請求項１または２に記載の注目領域検出装置。
【請求項４】
前記設定手段は、画像中の注目領域の位置と大きさとが付与された学習用画像セットを用いて予め機械学習されていることを特徴とする請求項１から３のいずれか１項に記載の注目領域検出装置。
【請求項５】
前記設定手段は、前記入力画像ごとに前記所定領域の大きさを決定することを特徴とする請求項１から４のいずれか１項に記載の注目領域検出装置。
【請求項６】
前記部分領域と前記所定領域とが重複する領域の重複率を算出する重複率算出手段を更に有し、
前記検出手段は、前記算出した重複率に基づいて、前記注目領域を検出することを特徴とする請求項１から５のいずれか１項に記載の注目領域検出装置。
【請求項７】
前記重複率は、前記所定領域の面積と、前記所定領域と前記部分領域とが重複する領域の面積と、の比であることを特徴とする請求項６に記載の注目領域検出装置。
【請求項８】
前記複数の画素位置それぞれの特徴量と当該複数の画素位置それぞれの周囲の特徴量との関係は、前記複数の画素位置それぞれの特徴量と当該複数の画素位置それぞれの周囲の特徴量との相違と、前記重複率と、の積和であることを特徴とする請求項６または７に記載の注目領域検出装置。
【請求項９】
複数の前記顕著度を統合する統合手段を更に有し、
前記設定手段は、前記入力画像に大きさの異なる複数の所定領域を設定し、
前記前景度算出手段は、前記複数の所定領域ごとに、前記部分領域と重複する領域における前景度を算出し、
前記顕著度算出手段は、前記複数の所定領域ごとに前記顕著度を算出し、
前記統合手段は、前記複数の所定領域ごとの顕著度を統合し、
前記検出手段は、前記統合された顕著度に基づいて、前記入力画像の注目領域を検出することを特徴とする請求項２に記載の注目領域検出装置。
【請求項１０】
複数の前記顕著度を統合する統合手段を更に有し、
前記分割手段は、異なる複数の粒度により、前記入力画像を複数の部分領域に分割し、
前記前景度算出手段は、前記複数の粒度ごとに、前記部分領域と重複する領域における前景度を算出し、
前記顕著度算出手段は、前記複数の粒度ごとに前記顕著度を算出し、
前記統合手段は、前記複数の粒度ごとの顕著度を統合し、
前記検出手段は、前記統合された顕著度に基づいて、前記入力画像の注目領域を検出することを特徴とする請求項２に記載の注目領域検出装置。
【請求項１１】
入力画像を複数の部分領域に分割するステップと、
前記入力画像に所定領域を設定するステップと、
前記設定した所定領域に含まれる前記部分領域の特徴量と前記入力画像の複数の画素位置それぞれの特徴量との関係、および前記複数の画素位置それぞれの特徴量と当該複数の画素位置それぞれの周囲の特徴量との関係に基づいて、注目領域を検出するステップと、
を有することを特徴とする注目領域検出方法。
【請求項１２】
コンピュータを、請求項１から１０のいずれか１項に記載の注目領域検出装置として機能させるためのプログラム。
【手続補正２】
【補正対象書類名】明細書
【補正対象項目名】０００６
【補正方法】変更
【補正の内容】
【０００６】
以上の課題を解決するために、本発明は、入力画像を複数の部分領域に分割する分割手段と、前記入力画像に所定領域を設定する設定手段と、前記設定した所定領域に含まれる前記部分領域の特徴量と前記入力画像の複数の画素位置それぞれの特徴量との関係、および前記複数の画素位置それぞれの特徴量と当該複数の画素位置それぞれの周囲の特徴量との関係に基づいて、注目領域を検出する検出手段と、を有することを特徴とする。
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
アドレスを連結してリニアアクセスを可能とした複数のメモリの、それぞれのメモリのアドレスを監視する監視手段と、
前記複数のメモリのそれぞれがパワーダウン状態から復帰するために要する時間を設定する設定手段と、
前記監視手段により監視されたアドレスと前記設定手段により設定された時間に基づくタイミングで、前記複数のメモリのそれぞれに対してパワーダウン状態を解除する設定を行う制御手段とを有することを特徴とするメモリへのアクセス制御装置。
【請求項２】
前記制御手段は、前記監視手段が、前記複数のメモリのうちのいずれかのメモリの初めにアクセスされるアドレスから、前記設定手段によって設定された時間だけ前にアクセスされるアドレスに対してアクセスがあったと判定した場合に、前記いずれかのメモリに対してパワーダウン状態を解除する設定を行うことを特徴とする請求項１に記載のアクセス制御装置。
【請求項３】
前記複数のメモリはワード長が等しいことを特徴とする請求項１または２に記載のアクセス制御装置。
【請求項４】
前記複数のメモリはワード長が他のメモリと異なるメモリを含むことを特徴とする請求項１または２に記載のアクセス制御装置。
【請求項５】
前記設定手段は、前記複数のメモリに対して設定された動作周波数からカウント数を求め、
前記制御手段は、前記カウント数に基づくタイミングで、前記複数のメモリのそれぞれに対してパワーダウン状態を解除する設定を行うことを特徴とする請求項１乃至４のいずれか１項に記載のアクセス制御装置。
【請求項６】
前記パワーダウン状態とは、クロック信号を非活性化した状態であることを特徴とする請求項１乃至５のいずれか１項に記載のアクセス制御装置。
【請求項７】
前記パワーダウン状態から復帰するとは、前記クロック信号が活性化され、かつ、安定化した状態になることを特徴とする請求項６に記載のアクセス制御装置。
【請求項８】
請求項１乃至７のいずれか１項に記載のアクセス制御装置を有する電子機器。
【請求項９】
アドレスを連結してリニアアクセスを可能とした複数のメモリの、それぞれのメモリのアドレスを監視する監視工程と、
前記複数のメモリのそれぞれがパワーダウン状態から復帰するために要する時間を設定する設定工程と、
前記監視工程において監視されたアドレスと前記設定工程において設定された時間に基づくタイミングで、前記複数のメモリのそれぞれに対してパワーダウン状態を解除する設定を行う制御工程とを有することを特徴とするメモリへのアクセス制御装置の制御方法。
【請求項１０】
コンピュータを請求項１乃至７のいずれか１項に記載のアクセス制御装置として機能させるためのプログラム。
【手続補正２】
【補正対象書類名】明細書
【補正対象項目名】０００９
【補正方法】変更
【補正の内容】
【０００９】
上記課題を解決するため、本発明に係るアクセス制御装置は、アドレスを連結してリニアアクセスを可能とした複数のメモリの、それぞれのメモリのアドレスを監視する監視手段と、前記複数のメモリのそれぞれがパワーダウン状態から復帰するために要する時間を設定する設定手段と、前記監視手段により監視されたアドレスと前記設定手段により設定された時間に基づくタイミングで、前記複数のメモリのそれぞれに対してパワーダウン状態を解除する設定を行う制御手段とを有することを特徴とする。
【手続補正書】
【提出日】平成30年2月22日(2018.2.22)
【手続補正１】
【補正対象書類名】明細書
【補正対象項目名】００１１
【補正方法】変更
【補正の内容】
【００１１】
本発明は、このような状況に鑑みてなされたものであり、携帯情報端末がメモリカード等の記憶媒体の表示情報を撮影するだけで、メモリカードに記憶された縮小画像情報を携帯情報端末で簡単に見ることができる情報端末およびプログラムを提供することを目的とする。
【手続補正２】
【補正対象書類名】明細書
【補正対象項目名】００１２
【補正方法】変更
【補正の内容】
【００１２】
本発明は、外観にバーコード情報が含まれる複数のメモリカードそれぞれに記憶されている複数の画像情報それぞれを縮小した複数の縮小画像情報に、前記複数の画像情報を記憶しているメモリカードに記憶されているカードＩＤ情報を関連付けて記憶する第１記憶手段と、前記複数のメモリカードのいずれかの外観に含まれるバーコード情報を認識する認識手段と、前記第１記憶手段に記憶されている複数の縮小画像情報のうち、前記認識手段によりバーコード情報が認識されたメモリカードに記憶されている画像情報に対応する縮小画像情報を選択する選択手段と、前記選択手段により選択された縮小画像情報に関連付けられているカードＩＤ情報を検索する検索手段と、前記認識手段による前記複数のメモリカードのいずれかのバーコード情報を認識した結果に、前記検索手段により検索がされたカードＩＤ情報を、関連付けて記憶する第２記憶手段と、前記複数のメモリカードのいずれかのバーコード情報の認識を再度すると、前記再度の認識の結果に関連付けて前記第２記憶手段に記憶されているカードＩＤ情報に関連付けて前記第１記憶手段に記憶されている縮小画像情報を出力する出力手段と、を備えることを特徴としている。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
本発明によれば、携帯情報端末がメモリカード等の記憶媒体の表示情報を撮影するだけで、メモリカードに記憶された縮小画像情報を携帯情報端末で簡単に見ることができる。
【手続補正１１】
【補正対象書類名】特許請求の範囲
【補正対象項目名】全文
【補正方法】変更
【補正の内容】
【特許請求の範囲】
【請求項１】
光学的に認識可能な表示情報を外観に有する複数のメモリカードそれぞれに記憶されている複数の画像情報それぞれを縮小した複数の縮小画像情報に、前記複数の画像情報を記憶しているメモリカードに記憶されているカードＩＤ情報を関連付けて記憶する第１記憶手段と、
前記複数のメモリカードのいずれかの前記表示情報を認識する認識手段と、
前記第１記憶手段に記憶されている複数の縮小画像情報のうち、前記認識手段により表示情報が認識されたメモリカードに記憶されている画像情報に対応する縮小画像情報を選択する選択手段と、
前記選択手段により選択された縮小画像情報に関連付けられているカードＩＤ情報を検索する検索手段と、
前記認識手段による前記複数のメモリカードのいずれかの表示情報を認識した結果に、前記検索手段により検索がされたカードＩＤ情報を、関連付けて記憶する第２記憶手段と、
前記複数のメモリカードのいずれかの表示情報の認識を再度すると、前記再度の認識の結果に関連付けて前記第２記憶手段に記憶されているカードＩＤ情報に関連付けて前記第１記憶手段に記憶されている縮小画像情報を出力する出力手段と、
を備えることを特徴とする情報端末。
【請求項２】
前記メモリカードと電気的に接続して、当該メモリカードに記憶されている情報について入出力を行う電気的入出力手段と、
前記電気的入出力手段を介して出力された前記複数の縮小画像情報と前記カードＩＤとを関連付けて前記第１記憶手段に記憶させるよう制御する記憶制御手段と、
を更に備えることを特徴とする請求項１に記載の情報端末。
【請求項３】
前記出力手段は、前記第１記憶手段に記憶されている複数の縮小画像情報を出力することを特徴とする請求項１又は２に記載の情報端末。
【請求項４】
前記表示情報はバーコードを含むことを特徴とする請求項１〜３のいずれか一項に記載の情報端末。
【請求項５】
コンピュータを、
光学的に認識可能な表示情報を外観に有する複数のメモリカードそれぞれに記憶されている複数の画像情報それぞれを縮小した複数の縮小画像情報に、前記複数の画像情報を記憶しているメモリカードに記憶されているカードＩＤ情報を関連付けて所定のメモリに記憶させる第１記憶手段、
前記複数のメモリカードのいずれかの前記表示情報を認識する認識手段、
前記第１記憶手段によって記憶された複数の縮小画像情報のうち、前記認識手段によりバーコード情報が認識されたメモリカードに記憶されている画像情報に対応する縮小画像情報を選択する選択手段、
前記選択手段により選択された縮小画像情報に関連付けられているカードＩＤ情報を検索する検索手段、
前記認識手段による前記複数のメモリカードのいずれかのバーコード情報を認識した結果に、前記検索手段により検索がされたカードＩＤ情報を、関連付けて前記所定のメモリに記憶させる第２記憶手段、
前記複数のメモリカードのいずれかのバーコード情報の認識を再度すると、前記再度の認識の結果に関連付けて前記第２記憶手段によって記憶されたカードＩＤ情報に関連付けて前記第１記憶手段によって記憶された縮小画像情報を出力する出力手段、
として機能させることを特徴とするプログラム。
【手続補正書】
【提出日】平成30年2月26日(2018.2.26)
【手続補正１】
【補正対象書類名】明細書
【補正対象項目名】発明の名称
【補正方法】変更
【補正の内容】
【発明の名称】可撓性を有するリチウムイオン蓄電池
【手続補正２】
【補正対象書類名】特許請求の範囲
【補正対象項目名】全文
【補正方法】変更
【補正の内容】
【特許請求の範囲】
【請求項１】
第１の積層体と、前記第１の積層体と重なる第２の積層体と、を有する構造物と、
前記構造物を包む外装体と、を有し、
前記外装体と前記構造物との間には空隙が設けられており、
前記第１の積層体及び前記第２の積層体は、それぞれ、セパレータと、前記セパレータを間に挟む一対の活物質と、前記一対の活物質を挟む一対の集電体と、を有し、
前記第１の積層体と前記第２の積層体とは、前記第１の積層体の前記一対の集電体の一方と、前記第２の積層体の前記一対の集電体の一方とが接するように重なることを特徴とする可撓性を有するリチウムイオン蓄電池。
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
複数の視差画像の差分情報に基づいて第１不要成分を決定する第１決定手段と、
前記第１不要成分から視差成分を低減して第２不要成分を決定する第２決定手段と、を有し、
前記第２決定手段は、前記第１不要成分と、該第１不要成分に基づいて作成されたマスクとに基づいて、前記第２不要成分を決定することを特徴とする画像処理装置。
【請求項２】
前記第２決定手段は、
前記第１不要成分の輝度値を変更して前記マスクを作成し、
前記第１不要成分に対して前記マスクを用いたマスキング処理を行うことにより、前記第２不要成分を決定することを特徴とする請求項１に記載の画像処理装置。
【請求項３】
前記第２決定手段は、前記第１不要成分に対して平滑化処理、コントラスト変更処理、および、閾値処理の少なくとも一つを行うことにより、前記輝度値を変更することを特徴とする請求項２に記載の画像処理装置。
【請求項４】
前記第２決定手段は、前記平滑化処理、前記コントラスト変更処理、および、前記閾値処理の少なくとも一つを行った後の前記第１不要成分に対して２値化処理を行うことを特徴とする請求項３に記載の画像処理装置。
【請求項５】
前記第２決定手段は、２値化処理後の前記第１不要成分に対して拡大処理を行うことを特徴とする請求項４に記載の画像処理装置。
【請求項６】
前記第２決定手段は、拡大処理後の前記第１不要成分に基づいて前記マスクを作成することを特徴とする請求項５に記載の画像処理装置。
【請求項７】
前記第２決定手段は、
前記視差画像と前記第１不要成分とに基づいて不要成分低減画像を生成し、
前記不要成分低減画像にボケを付加したボケ画像と該不要成分低減画像との差分に基づいてエッジ成分を決定し、
前記第１不要成分から前記エッジ成分を低減することを特徴とする請求項２乃至６のいずれか１項に記載の画像処理装置。
【請求項８】
前記第２決定手段は、
前記第１不要成分に基づいて第１不要成分画像を生成し、
前記第１不要成分画像にボケを付加したボケ画像と該第１不要成分画像との差分に基づいてエッジ成分を決定し、
前記第１不要成分から前記エッジ成分を低減することを特徴とする請求項２乃至６のいずれか１項に記載の画像処理装置。
【請求項９】
前記複数の視差画像に基づく画像から前記第２不要成分を低減する低減手段を更に有することを特徴とする請求項１乃至８のいずれか１項に記載の画像処理装置。
【請求項１０】
前記複数の視差画像に基づく画像は、該複数の視差画像を合成した視差合成画像であることを特徴とする請求項９に記載の画像処理装置。
【請求項１１】
光学系を介して形成された光学像を光電変換して複数の視差画像を出力する撮像手段と、
前記複数の視差画像の差分情報に基づいて第１不要成分を決定する第１決定手段と、
前記第１不要成分から視差成分を低減して第２不要成分を決定する第２決定手段と、を有し、
前記第２決定手段は、前記第１不要成分と、該第１不要成分に基づいて作成されたマスクとに基づいて、前記第２不要成分を決定することを特徴とする撮像装置。
【請求項１２】
前記マスクに関する情報を表示する表示手段を更に有することを特徴とする請求項１１に記載の撮像装置。
【請求項１３】
前記複数の視差画像は、前記光学系の瞳のうち互いに異なる領域を通過した光束に基づいて生成された複数の画像であり、
前記撮像手段は、一つのマイクロレンズを共有する複数の画素を有し、
前記複数の画素は、前記光学系の瞳のうち互いに異なる領域を通過した光束を受光するように構成されていることを特徴とする請求項１１または１２に記載の撮像装置。
【請求項１４】
前記複数の視差画像は、前記光学系の瞳のうち互いに異なる領域を通過した光束を、前記撮像手段における互いに異なる画素に導いて生成された複数の画像であることを特徴とする請求項１１または１２に記載の撮像装置。
【請求項１５】
複数の視差画像の差分情報に基づいて第１不要成分を決定するステップと、
前記第１不要成分から視差成分を低減して第２不要成分を決定するステップと、を有し、
前記第２不要成分は、前記第１不要成分と、該第１不要成分に基づいて作成されたマスクとに基づいて決定されることを特徴とする画像処理方法。
【請求項１６】
請求項１５に記載の画像処理方法をコンピュータに実行させるように構成されていることを特徴とする画像処理プログラム。
【請求項１７】
請求項１６に記載の画像処理プログラムを記憶していることを特徴とする記憶媒体。
【手続補正２】
【補正対象書類名】明細書
【補正対象項目名】０００８
【補正方法】変更
【補正の内容】
【０００８】
本発明の一側面としての画像処理装置は、複数の視差画像の差分情報に基づいて第１不要成分を決定する第１決定手段と、前記第１不要成分から視差成分を低減して第２不要成分を決定する第２決定手段とを有し、前記第２決定手段は、前記第１不要成分と、該第１不要成分に基づいて作成されたマスクとに基づいて、前記第２不要成分を決定する。
【手続補正３】
【補正対象書類名】明細書
【補正対象項目名】０００９
【補正方法】変更
【補正の内容】
【０００９】
本発明の他の側面としての撮像装置は、光学系を介して形成された光学像を光電変換して複数の視差画像を出力する撮像手段と、前記複数の視差画像の差分情報に基づいて第１不要成分を決定する第１決定手段と、前記第１不要成分から視差成分を低減して第２不要成分を決定する第２決定手段とを有し、前記第２決定手段は、前記第１不要成分と、該第１不要成分に基づいて作成されたマスクとに基づいて、前記第２不要成分を決定する。
【手続補正４】
【補正対象書類名】明細書
【補正対象項目名】００１０
【補正方法】変更
【補正の内容】
【００１０】
本発明の他の側面としての画像処理方法は、複数の視差画像の差分情報に基づいて第１不要成分を決定するステップと、前記第１不要成分から視差成分を低減して第２不要成分を決定するステップとを有し、前記第２不要成分は、前記第１不要成分と、該第１不要成分に基づいて作成されたマスクとに基づいて決定される。
【手続補正５】
【補正対象書類名】明細書
【補正対象項目名】００１１
【補正方法】変更
【補正の内容】
【００１１】
本発明の他の側面としての画像処理プログラムは、前記画像処理方法をコンピュータに実行させるように構成されている。